(57)【特許請求の範囲】
【請求項１】
撮像装置本体の天面部に配置される、アクセサリを接続できるアクセサリシューと、
前記アクセサリシューに前記アクセサリを接続しないときに前記アクセサリシューを隠蔽するシューカバーであって、前記アクセサリシューを隠蔽する隠蔽位置と、前記アクセサリシューを露出し、前記アクセサリシューへの前記アクセサリの挿抜を邪魔しない引き出し位置との間で移動できるように、前記撮像装置本体に結合されるシューカバー
とを具備し、
前記シューカバーは、前記撮像装置本体と接続する弾性部材からなる腕部を有し、
前記腕部は湾曲形状であり、その先端部分に前記撮像装置本体と係合しシューカバーの位置を固定するための位置固定部が設けられ、
前記シューカバーが前記隠蔽位置にあるときは、前記腕部は弾性変形した状態で前記撮像装置本体に収納されており、
前記シューカバーは腕部の湾曲形状に沿って引き出され、前記引き出し位置にあるときは、前記位置固定部が前記本体に係合しシューカバーの位置が固定された状態である
ことを特徴とする撮像装置。
【請求項２】
前記シューカバーは、前記隠蔽位置から水平方向に引き出されることを特徴とする請求項１に記載の撮像装置。
【請求項３】
前記シューカバーは、前記隠蔽位置から水平方向に引き出された後、前記撮像装置本体に接するように底面方向に移動することを特徴とする請求項１に記載の撮像装置。
【発明の詳細な説明】
【技術分野】
【０００１】
本発明は、アクセサリシューを具備する撮像装置に関する。
【背景技術】
【０００２】
図１４は、従来のカメラ一体型記録再生装置、いわゆるカムコーダにアクセサリを取り付けた状態の外観斜視図を示す。本体２１０は、天面にアクセサリシュー２１２を具備する。アクセサリ２１４がアクセサリシュー２１２に着脱自在である。本体２１０は、通常、撮影者の手２１６により本体２１０の側面で把持される。
【０００３】
図１５は、従来のカムコーダの外観斜視図を示す。カムコーダの本体２１０は、大きくレンズ筐体２２０と記録部筐体２２２に分けられる。アクセサリシュー２１２は、レンズ筐体２２０の天面に配置されている。シューカバー２２４は、アクセサリ２１４の非使用時に、アクセサリシュー２１２を隠蔽するものであり、端子の汚れ防止と、デザイン上の美観を目的としている。
【０００４】
また、図１６は、シューカバーを撮像装置本体に結合した構成の撮像装置の外観斜視図を示す。シューカバー２３４は、通常時は、本体２３０のアクセサリシュー２３２を隠蔽し、アクセサリの使用時にアクセサリシュー２３２を露出する。シューカバー２３４は、弾性材からなる腕部２３６を介して本体２３０に結合される。
【０００５】
特許文献１には、電子ビューファインダを引き出し移動することによりアクセサリシューの挿入口が露出し、アクセサリの接続を可能にする撮像装置が記載されている。
【特許文献１】特開２００５−１９１７００号公報
【発明の開示】
【発明が解決しようとする課題】
【０００６】
近年の撮像装置は、記録媒体としてディスク状記録媒体又は半導体メモリを使用し、全体的サイズが小さくなっている。その結果、図１７に示すように、本体を側面から把持する場合に、撮影者の手２４０の指先が本体の上面に届いてしまう。アクセサリをアクセサリシューに接続した状態では、本体をしっかりと把持することが難しくなる。撮影の開始・終了を指示するトリガーボタン２４２が本体の背面に配置され、撮影者は、例えば、親指でトリガーボタン２４２を操作する。
【０００７】
シューカバーは紛失の可能性が高い。図１６に示すように、シューカバーが本体に結合されていると、アクセサリの取り付けの際に邪魔になり、把持の邪魔にもなる。
【０００８】
本発明は、このような不都合を解消する撮像装置を提示することを目的とする。
【課題を解決するための手段】
【０００９】
本発明に係る撮像装置は、撮像装置本体の天面部に配置される、アクセサリを接続できるアクセサリシューと、前記アクセサリシューに前記アクセサリを接続しないときに前記アクセサリシューを隠蔽するシューカバーであって、前記アクセサリシューを隠蔽する隠蔽位置と、前記アクセサリシューを露出し、前記アクセサリシューへの前記アクセサリの挿抜を邪魔しない引き出し位置との間で移動できるように、前記撮像装置本体に結合されるシューカバーとを具備し、前記シューカバーは、前記撮像装置本体と接続する弾性部材からなる腕部を有し、前記腕部は湾曲形状であり、その先端部分に前記撮像装置本体と係合しシューカバーの位置を固定するための位置固定部が設けられ、前記シューカバーが前記隠蔽位置にあるときは、前記腕部は弾性変形した状態で前記撮像装置本体に収納されており、前記シューカバーは腕部の湾曲形状に沿って引き出され、前記引き出し位置にあるときは、前記位置固定部が前記本体に係合しシューカバーの位置が固定された状態であることを特徴とする。
【発明の効果】
【００１０】
本発明によれば、アクセサリを挿抜の邪魔にならずに、アクセサリシューを保護できる。
【発明を実施するための最良の形態】
【００１１】
以下、図面を参照して、本発明の実施例を詳細に説明する。
【実施例１】
【００１２】
図１は、本発明の一実施例である撮像装置にアクセサリを取り付けた状態の斜視図を示す。本発明の一実施例である撮像装置の本体１０は、天面又は上面の背後位置にアクセサリシュー１２を具備する。アクセサリ１４は、アクセサリシュー１２に着脱可能であり、図１では、アクセサリシュー１２に取り付けられている。アクセサリ１４は、この例ではマイクであるが、その他のアクセサリ、例えば、ストロボ又はビデオライトなどでもよい。
【００１３】
アクセサリシュー１２を非使用時に隠蔽するシューカバー１６が、本体１０に結合されている。結合手段と方法は、後述する。シューカバー１６は、アクセサリシュー１２の端子部分に塵や埃が入らないように覆う役目と、アクセサリ１４の非使用時に周囲の外観面と一体感を持たせる役目を担う。操作キー１８が、本体１０の天面の、アクセサリシュー１２よりも被写体側に配置されている。操作キー１８は、この実施例では、ズーム操作のためのズームキーである。撮影の開始及び終了を決定するためのトリガーボタン２０が、本体１０の側背面に配置されている。本体１０の背面にはまた、全体に電力を供給するバッテリ２２が配置される。
【００１４】
図２は、本実施例の機能ブロックを示す。本体１０の正面に、撮像レンズ３０が配置されている。撮像素子３２は、撮像レンズ３０による光学像を電気画像信号に変換する。信号処理回路３４は、撮像素子３２からの画像信号を所定形式の映像データに変換する。マイクロコンピュータからなるＣＰＵ３６が、信号処理回路３４からの映像データを記録媒体３８に記録し、同時に、表示部４０に供給して画像を表示させる。
【００１５】
アクセサリシュー１２は電気接点を有している。アクセサリ１４をアクセサリシュー１２に装着すると、アクセサリ１４が、アクセサリシュー１２の電気接点を介してアクセサリ制御装置４２に電気的に接続する。アクセサリ１４がマイクの場合、当該マイクから出力される音声信号は、アクセサリシュー１２を介してアクセサリ制御装置４２に供給される。アクセサリ制御装置４２は、ＣＰＵ３６の制御下で、アクセサリ１４からの音声信号をＣＰＵ３６に供給する。ＣＰＵ３６は、アクセサリ制御装置４２からの音声信号の内、必要なものを記録媒体３８に記録する。
【００１６】
図３は、撮影者が本体１０を把持した状態を示す。撮影者の手４４が、本体１０の側面から天面に届いており、本体１０の天面部もグリップ部として把持される。天面に操作キー１８としてズームキーを配置した場合、通常のアイレベルでの把持形態の場合、撮影者は、人差し指でキー操作を行う。また、アイレベルの把持形態では、親指は、トリガーボタン２０の周辺や、本体１０の背面に位置する。本実施例では、本体１０の背面部にバッテリ２２が配置されており、図３では、撮影者の親指は、バッテリ２２の側面に位置する。アクセサリシュー１２及びアクセサリ１４は、撮影者が把持した際に邪魔にならない位置、例えば、本体１０の天面上で操作キー１８よりも背面側に配置される。
【００１７】
図４、図５、図６及び図７を参照し、シューカバー１６の開閉構造を説明する。図４は、シューカバー１６がアクセサリシュー１２を隠蔽する状態（隠蔽状態又は隠蔽位置）にあるときの、本体１０を上面から見た平面図を示す。図５は、シューカバー１６を引き出してアクセサリシュー１２を露出した状態（引き出し状態又は引き出し位置）にあるときの、本体１０を上面から見た平面図を示す。図５で矢印４６は、シューカバー１６を開く際の移動軌跡を示す。
【００１８】
シューカバー１６は、次のように移動する。撮影者が本体１０の背面に位置するとする。撮影者は、図４に示す隠蔽位置から、シューカバー１６を真後ろに引き出す。その後、図５に矢印４６で示すようにシューカバー１６を左方向にほぼ９０度曲げる。これにより、シューカバー１６は、元の隠蔽位置（図４）から円弧状に略９０°回転した位置（図５）に位置する。アクセサリ１４は、本体１０の後方から被写体側に向かって直線的にアクセサリシュー１２に挿抜される。シューカバー１６が、アクセサリ１４の背後から横方向に退避することで、アクセサリ１４の挿抜の妨げにならない。
【００１９】
図６は、隠蔽位置と引き出し位置のシューカバー１６を示す側面図を示す。符号１６ａは、アクセサリシュー１２を隠蔽するシューカバー１６の位置（隠蔽位置）、又は、隠蔽位置のシューカバー１６を示し、この位置１６ａは、図４に相当する。符号１６ｂは、アクセサリシュー１２を露出すべくシューカバー１６を引き出した位置（引き出し位置）又は引き出し位置のシューカバー１６を示し、この位置１６ｂは、図５に相当する。図６に示すように、シューカバー１６は、ほぼ水平位置を保ったままスライドするが、引き出され終えた時点で、横方向の引き出し位置１６ｂに退避する。
【００２０】
図７は、アクセサリシュー１２にアクセサリ１４を取り付けた状態の背面図を示す。ハッチングを施した領域４８は、アクセサリ１４をアクセサリシュー１２に挿抜する際に必要な空間である。シューカバー１６は、引き出し位置１６ｂでは、図５から分かるように領域４８から横に外れており、アクセサリ１４の挿抜を邪魔しない。
【００２１】
シューカバー１６の構成を説明する。図８は、シューカバー１６の側面図を示す。図９は、シューカバー１６の平面図を示す。シューカバー１６は、シューカバー本体５０と、シューカバー本体５０を本体１０に結合する腕部５２からなる。シューカバー本体５０は、本体１０の周囲のカバーと同等のプラスチック等からなる。腕部５２は、エラストマ等の弾性部材からなる。腕部５２は、弾性変形した状態で本体１０の内部に設けられた空間に収納される。シューカバー本体５０と腕部５２の両方を弾性体としてもよい。
【００２２】
腕部５２の先端部分には凸部５４を形成してある。凸部５４は、シューカバー１６を引き出した状態（図５）で、容易にシューカバー１６が動かないように周辺のカバーの凹み部と係合する。この固定の詳細は、後で説明する。図９に示すように、腕部５２は円弧状に湾曲しており、その根元と先端はほぼ９０°曲がっている。このような腕部５２の形状に沿って、シューカバー１６が移動する。
【００２３】
図１０及び図１１を参照して、シューカバー１６の固定手段を説明する。図１０は、シューカバー１６を引き出した状態の斜視図を示す。図１１は、図１０のＡ−Ａ線の断面図を示す。シューカバー１６の腕部５２が収納される空間６０の中央に、シューカバー抜け止め部材６２を立ててある。シューカバー１６の腕部５２は、シューカバー抜け止め部材６２を周回する。シューカバー１６が引き出された状態で、凸部５４が、シューカバー１６をその位置に規制する周囲カバー６４の凹部６６に係合する。凸部５４が凹部６６に係合することで、腕部５２はその位置に係止され、その結果、シューカバー１６も移動しなくなる。
【実施例２】
【００２４】
本発明の実施例２を説明する。図１２は、本発明の実施例２を背後から見た外観斜視図を示す。本実施例の撮像装置の本体１１０は、上面にアクセサリシュー１１２と操作キー１１８を具備し、アクセサリ１１４の非使用時にアクセサリシュー１１２を隠蔽するシューカバー１１６を具備する。実施例１と同様に、アクセサリシュー１１２は、操作キー１１８より背面側に配置されている。シューカバー１１６は、２本のアームで本体１１０に結合するが、１本の腕部でも、３本以上の腕部でもよい。
【００２５】
図１３は、隠蔽位置と引き出し位置のシューカバー１１６を示す側面図を示す。符号１１６ａは、アクセサリシュー１１２を隠蔽するシューカバー１１６の位置（隠蔽位置）又は隠蔽位置のシューカバー１１６を示す。符号１１６ｂは、アクセサリシュー１１２を露出するべくシューカバー１１６を引き出した位置（引き出し位置）又は引き出し位置のシューカバー１１６を示す。
【００２６】
アクセサリ１１４を使用するときには、シューカバー１１６を背面側に水平にスライド移動した後、本体１１０の背面部に接するように底面方向に移動する。シューカバー１１６を最大に引き出した引き出し位置１１６ｂでは、シューカバー１１６ｂは、アクセサリ１１４の挿抜を阻害しない。実施例１で説明したのと同様の構成で、シューカバー１１６を遮蔽位置１１６ａ及び引き出し位置１１６ｂに固定できる。
【図面の簡単な説明】
【００２７】
【図１】本発明の一実施例である撮像装置にアクセサリを取り付けた状態の斜視図を示す。
【図２】本実施例の機能ブロックを示す。
【図３】撮像者が本実施例の撮像装置本体を把持した状態を示す。
【図４】シューカバー１６がアクセサリシューを隠蔽する状態で撮像装置１０を上面から見た平面図を示す。
【図５】シューカバー１６をアクセサリシューを露出するように引き出した状態で撮像装置１０を上面から見た平面図を示す。
【図６】シューカバー１６近辺の側面図を示す。
【図７】アクセサリ１４の挿抜を阻害しない範囲を示す。
【図８】シューカバー１６の側面図を示す。
【図９】シューカバー１６の平面図を示す。
【図１０】シューカバー１６を引き出した状態の斜視図を示す。
【図１１】図１０のＡ−Ａ線の断面図を示す。
【図１２】本発明の実施例２を背後から見た外観斜視図を示す。
【図１３】隠蔽位置と引き出し位置のシューカバー１１６を示す側面図を示す。
【図１４】従来のカムコーダにアクセサリを取り付けた状態の外観斜視図を示す。
【図１５】従来のカムコーダの外観斜視図を示す。
【図１６】撮像装置本体にシューカバーを連結した従来構成の外観斜視図を示す。
【図１７】撮像装置本体を側面から把持する状態を示す図である。
【符号の説明】
【００２８】
１０：本体
１２：アクセサリシュー
１４：アクセサリ
１６：シューカバー
１６ａ：シューカバー（隠蔽位置）
１６ｂ：シューカバー（引き出し位置）
１８：操作キー
２０：トリガーボタン
２２：バッテリ
３０：撮影レンズ
３２：撮像素子
３４：信号処理回路
３６：ＣＰＵ
３８：記録媒体
４０：表示部
４２：アクセサリ制御装置
４４：撮影者の手
５０：シューカバー本体
５２：腕部
５４：凸部
６０：腕部５２が収納される空間
６２：シューカバー抜け止め部材
６４：周囲カバー
６６：凹部
１１０：本体
１１２：シューカバー
１１４：アクセサリ
１１６：シューカバー
１１８：操作キー
１１６ａ：シューカバー（隠蔽位置）
１１６ｂ：シューカバー（引き出し位置）
２１０：本体
２１２：アクセサリシュー
２１４：アクセサリ
２１６：撮影者の手
２２０：レンズ筐体
２２２：記録部筐体
２２４：シューカバー
２３０：本体
２３２：アクセサリシュー
２３４：シューカバー
２３６：腕部
２４０：撮影者の手
２４２：トリガーボタン
【図１】
0005031540.tif 000002
【図２】
0005031540.tif 000003
【図３】
0005031540.tif 000004
【図４】
0005031540.tif 000005
【図５】
0005031540.tif 000006
【図６】
0005031540.tif 000007
【図７】
0005031540.tif 000008
【図８】
0005031540.tif 000009
【図９】
0005031540.tif 000010
【図１０】
0005031540.tif 000011
【図１１】
0005031540.tif 000012
【図１２】
0005031540.tif 000013
【図１３】
0005031540.tif 000014
【図１４】
0005031540.tif 000015
【図１５】
0005031540.tif 000016
【図１６】
0005031540.tif 000017
【図１７】
0005031540.tif 000018